(57)【要約】【課題】  簡単な構成で、種々の表示内容を表示可能な表示装置の装置本体にある表示や装置本体に設けられている操作部材を的確に照明することができる保護部材を提供する。【解決手段】  種々の表示内容を表示可能な表示装置の表示面上に対向配置され、該表示面を保護するための保護部材２４であって、前記表示装置の前記表示面の外縁部と対向配置される部位の少なくとも一部に、光反射部２４ｂを備える。【選択図】  図２
2011015015.tif 000002
【特許請求の範囲】
【請求項１】
種々の表示内容を表示可能な表示装置の表示面上に対向配置され、該表示面を保護するための保護部材であって、
前記表示装置の前記表示面の外縁部と対向配置される部位の少なくとも一部に、光反射部を備えることを特徴とする保護部材。
【請求項２】
前記光反射部は、前記表示装置の表示面をその背面から照明した光を、前記表示面の外周近傍の部位に向けて反射することを特徴とする請求項１記載の保護部材。
【請求項３】
前記表示面の前記外縁部と対向配置される前記部位において、該外縁部と対向している側の面の少なくとも一部に、前記光反射部で反射された光に対して交差する傾斜面が形成されていることを特徴とする請求項１または請求項２記載の保護部材。
【請求項４】
前記保護部材は前記表示装置に対して着脱可能であることを特徴とする請求項１〜請求項３の何れか一項に記載の保護部材。
【請求項５】
種々の表示内容を表示面上に表示可能な表示装置を備えた撮像装置であって、
請求項１〜４の何れか一項に記載の保護部材を備え、
前記保護部材の前記光反射部によって反射された光は、前記表示装置の前記表示面の周囲に配置された操作部材を照明することを特徴とする撮像装置。
【発明の詳細な説明】
【技術分野】
【０００１】
本発明は、表示装置の表示面を保護するための保護部材及び該保護部材を備えた撮像装置に関するものである。
【背景技術】
【０００２】
被写体に対して閃光を発する閃光装置であって、カメラに装着された際に、カメラ本体にある表示またはカメラの操作部材が暗い場所であっても視認できるように、カメラ本体にある表示またはカメラの操作部材を照明するための照明部を備えた閃光装置が提案されている（例えば、特許文献１参照）。
【先行技術文献】
【特許文献】
【０００３】
【特許文献１】特開平１１−１９４４０５号公報
【発明の概要】
【発明が解決しようとする課題】
【０００４】
ところで、上述の閃光装置が備える照明部は、カメラ本体にある表示またはカメラの操作部材を照明するためだけのものである。また、カメラ内部に照明部を備え、カメラ本体にある表示またはカメラの操作部材を照明することもできるが、この場合においても該照明部は、カメラ本体にある表示またはカメラの操作部材を照明するためだけに設けられていた。また、このような照明部をカメラ内部に設ける場合には配置スペースを確保する必要があるが、装置の小型化を妨げる場合や、カメラの操作部材の操作性を高めるための位置制約、他の部品の配置位置の制約等から該配置スペースを確保することが困難な場合があった。
【０００５】
本発明の目的は、簡単な構成で、種々の表示内容を表示可能な表示装置の装置本体にある表示や装置本体に設けられている操作部材を的確に照明することができる保護部材及び該保護部材を備えた撮像装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の保護部材は、種々の表示内容を表示可能な表示装置（４，４０）の表示面（４ｂ，４ｃ）上に対向配置され、該表示面（４ｂ，４ｃ）を保護するための保護部材（２４，４ｄ）であって、前記表示装置（４，４０）の前記表示面（４ｂ，４ｃ）の外縁部と対向配置される部位の少なくとも一部に、光反射部（２４ｂ，４２）を備えることを特徴とする。
【０００８】
また、本発明の撮像装置は、種々の表示内容を表示面（４ｂ，４ｃ）上に表示可能な表示装置（４，４０）を備えた撮像装置（２）であって、本発明の保護部材（２４，４ｄ）を備え、前記保護部材（２４，４ｄ）の前記光反射部（２４ｂ，４２）によって反射された光は、前記表示装置（４，４０）の前記表示面（４ｂ，４ｃ）の周囲に配置された操作部材（６〜２０）を照明することを特徴とする。
【発明の効果】
【０００９】
本発明の保護部材及び撮像装置によれば、簡単な構成で、種々の表示内容を表示可能な表示装置の装置本体にある表示や装置本体に設けられている操作部材を的確に照明することができる。
【図面の簡単な説明】
【００１０】
【図１】第１の実施の形態に係るカメラの背面からの外観を示す斜視図である。
【図２】第１の実施の形態に係るカメラに保護部材を装着した状態を示す図である。
【図３】第１の実施の形態に係る操作部材及び表示部を含むカメラの下面に平行な面における断面図である。
【図４】第２の実施の形態に係る操作部材及び表示部を含むカメラの下面に平行な面における断面図である。
【発明を実施するための形態】
【００１１】
以下、図面を参照して、本発明の第１の実施の形態に係る撮像装置としてのカメラについて説明する。図１は、この実施の形態に係るカメラの背面からの外観を示す斜視図である。カメラ２の背面には、図１に示すように、表示部４、操作部材６，８，１０，１２，１４，１６，１８，２０、撮影範囲を決定するフレーミングを行うためのファインダ２２が設けられている。
【００１２】
表示部４は、バックライト４ａ（図３参照）、ＬＣＤパネル４ｂ（図３参照）、及びＬＣＤパネル４ｂの表面を保護するためのＬＣＤ窓４ｃ（図３参照）を備えている。バックライト４ａは、ＬＣＤパネル４ｂの背面を照明し、バックライト４ａにより背面を照明されるＬＣＤパネル４ｂは、カメラ２に設けられているメモリカードスロット（図示せず）に挿入されたメモリカードに記録されている画像、カメラ２が備える撮像素子（図示せず）からのライブビュー画像を表示する。また、ＬＣＤパネル４ｂは、撮影情報、メニュー画面及び操作に関する情報等を表示する。ここで、撮影情報には、撮影条件（例えば、シャッタ秒時の値や絞り値等）が含まれる。
【００１３】
操作部材６〜２０は、カメラ２のユーザーが指示内容を手動入力するためのものである。具体的には、ＬＣＤパネル４にメニュー等を表示させるためのメニューボタン、メニュー項目等の選択やカーソルを移動させるためのマルチセレクト、決定ボタン（ＯＫボタン）、メモリカードに記録されている画像を削除するための削除ボタン、画像を縮小または拡大表示させるための縮小ボタンや拡大ボタン等のことである。
【００１４】
また、カメラ２は、表示部４（ＬＣＤ窓４ｃ）の表面を保護するための保護部材（図２参照）を装着可能に構成されている。図２はカメラ２に保護部材２４を装着した状態を示す図、図３は図２において操作部材１０及び表示部４を含むカメラ２の下面に平行な面における断面図である。保護部材２４は、カメラ２に対して着脱可能に構成されており、カメラ２に対して装着されている場合には、図２及び図３に示すように、ＬＣＤ窓４ｃの表面上に対向配置される。また、保護部材２４は、ＬＣＤパネル４ｂの表示内容が表示される領域と対向配置される部位２４ａが透明な部材により構成されているため、ＬＣＤパネル４ｂに表示される表示内容の視認性を妨げることなくＬＣＤ窓４ｃの表面にキズ等が付着するのを防止する。即ち、バックライト４ａにより照明されたＬＣＤパネル４ｂに表示された表示内容は、ＬＣＤ窓４ｃ及び保護部材２４を介して、ユーザーにより視認される。また、保護部材２４は、ＬＣＤ窓４ｃの外縁部と対向配置される部位に、光反射部２４ｂを備えている。
【００１５】
光反射部２４ｂは、図３に示すように、バックライト４ａから射出し、ＬＣＤパネル４ｂをその背面から照明した光を、ＬＣＤパネル４ｂの外周近傍の部位に向けて反射させる反射部材を貼り付けて構成されている。反射部材としては、例えば、アルミ蒸着されたもの、銀色の塗料を塗布したもの、銀色のインクを印刷したもの等が挙げられる。バックライト４ａから射出し、ＬＣＤパネル４ｂ及びＬＣＤ窓４ｃを介し、所定方向から光反射部２４ｂに入射した光は、図中矢印で示すように、ＬＣＤ窓４ｃの外周近傍の部位に向けて反射し、ＬＣＤ窓４ｃの周囲に配置されている操作部材６〜２０を照明する。また、操作部材６〜２０の近傍に操作部材について説明するための表示がされている場合には、これらの表示も照明する。
【００１６】
なお、ＬＣＤ窓４ｃの外縁部と対向配置される部位がマイクロプリズムにより構成された光反射部を備えることもできる。この場合においては、マイクロプリズムの種類を選択することにより光反射部により反射される光の進行方向を制御することができる。したがって、適切なマイクロプリズムを選択することにより、光反射部に入射した多くの光をＬＣＤパネル４ｂの外周近傍の部位に向けて反射させて、操作部材６〜２０を照明させることができる。また、ＬＣＤ窓４ｃの表面と対向配置される保護部材２４の面の外縁部に梨地（シボ）加工等のマット加工を施してもよい。
【００１７】
第１の実施の形態に係るカメラ２によれば、光反射部２４ｂを備えた保護部材２４が着脱可能に構成されているため、保護部材２４をカメラ２に装着したとき、カメラ２の表示部４（ＬＣＤ窓４ｃ）を保護すると同時に、バックライト４ａから射出し、ＬＣＤパネル４ｂ及びＬＣＤ窓４ｃを介し、所定方向から光反射部２４ｂに入射した光は、ＬＣＤ窓４ｃの外周近傍の部位に向けて反射し、操作部材６〜２０を照明する。したがって、操作部材６〜２０を照明するための照明部を別途設けることなく、ＬＣＤパネル４ｂを照明する光を利用して操作部材６〜２０を照明することができ、暗い場所であっても操作部材を用いた操作を行うことができる。
【００１８】
また、バックライトから射出した光をカメラ内部においてまわしこみ、操作部材等をカメラ内部から照明することもできるが、この場合には、光をまわしこむための部材をカメラ内部に配置するためのスペースを確保する必要がある。また、このスペースを確保するために他の部品の配置位置を変更しなければならない場合がある。しかしながら、この実施の形態によれば、バックライド４ａからの光を一旦外に出し、外から操作部材６〜２０を照明するため、光を回し込むための部材を配置するためのスペースを確保する必要や他の部品の配置位置を変更する必要がない。したがって、このスペースの他の用途として、または、カメラ本体の小型化に活用することができる。
【００１９】
また、従来のカメラでは、ＬＣＤパネル４ｂの明るさと操作部材６〜２０の明るさとが大きく異なり、暗い場所でＬＣＤパネル４ｂが明るすぎて（眩しくて）操作部材６〜２０の視認が困難な場合があった。しかしながら、本発明のカメラ及び保護部材では、バックライト４ａからの光でＬＣＤパネル４ｂ及び操作部材６〜２０を照明しているため、ＬＣＤパネル４ｂの明るさが変化すると、それに比例して操作部材６〜２０の明るさも変化する。したがって、ＬＣＤパネル４ｂが明るすぎることによる操作部材６〜２０の視認性の悪化も回避することができる。
【００２０】
なお、第１の実施の形態に係る保護部材２４においては、ＬＣＤ窓４ｃの外縁部と対向配置される部位全体に光反射部２４ｂを備えているが、ＬＣＤ窓４ｃの外縁部と対向配置される部位の少なくとも一部に光反射部を備えていれば良い。即ち、カメラ本体にある表示や操作部材を照明すればよいため、これら表示や操作部材が配置される位置近傍の部位にのみ光反射部を備えていればよい。
【００２１】
また、第１の実施の形態においては、カメラ２に対して着脱可能な保護部材２４を例に挙げて説明したが、カメラ２が保護部材を備える構成、即ちカメラ２と保護部材とが一体に構成されたものであってもよい。
【００２２】
次に、本発明の第２の実施の形態に係るカメラについて説明する。なお、第２の実施の形態に係るカメラにおいては、第１の実施の形態に係るカメラ２が備える表示部４に代えて表示部４０を備え、その他の構成は第１の実施の形態に係るカメラ２の構成と同一であるためその説明を省略し、同一の構成には同一の符号を用いて説明を行う。
【００２３】
図４は、操作部材１０及び表示部４０を含む第２の実施の形態に係るカメラの下面に平行な面における断面図である。表示部４０は、表示部４と同様に、バックライト４ａ、ＬＣＤパネル４ｂ、及びＬＣＤ窓４ｄを備えている。ＬＣＤ窓４ｄは、ＬＣＤパネル４ｂの表面上に対向配置され、ＬＣＤパネル４ｂに表示される表示内容の視認性を妨げることなくＬＣＤパネル４ｂの表面を保護する保護部材として機能する。また、ＬＣＤ窓４ｄは、ＬＣＤパネル４ｂの外縁部と対向配置される部位に、光反射部４２を備えている。
【００２４】
光反射部４２は、図５に示すように、バックライト４ａから射出し、ＬＣＤパネル４ｂをその背面から照明した光を、ＬＣＤパネル４ｂの外周近傍の部位に向けて反射させる反射部材により構成されている。反射部材としては、第１の実施の形態と同様に、例えば、アルミ蒸着されたもの、銀色の塗料を塗布したもの、銀色のインクを印刷したもの、マイクロプリズム等が挙げられる。バックライト４ａから射出し、ＬＣＤパネル４ｂ及びＬＣＤ窓４ｄを介し、光反射部４２に入射した光は、図中矢印で示すように、ＬＣＤ窓４ｄの外側に向けて反射し、ＬＣＤ窓４ｄの周辺に配置されている操作部材６〜２０を照明する。
【００２５】
また、ＬＣＤ窓４ｄには、図４に示すように、ＬＣＤパネル４ｂの表面の外縁部と対向配置される部位であって、ＬＣＤパネル４ｂの外縁部と対向している側の面に、光反射部４２で反射される光に対して交差する傾斜面４４が形成されている。即ち、ＬＣＤパネル４ｂの表面と対向配置される面の外縁部に傾斜面４４が形成されている。傾斜面４４の傾斜角度は、光反射部４２により反射された光がＬＣＤ窓４ｄの周辺に配置されている操作部材６〜２０に向けて屈折して進行するよう設定されている。
【００２６】
第２の実施の形態に係るカメラによれば、第１の実施の形態に係るカメラによる効果に加えて、保護部材としてのＬＣＤ窓４ｄが傾斜面４４を備えているため、より効率良く光反射部４２により反射される光を操作部材６〜２０に向けて進行させることができ、操作部材６〜２０を効率良く照明することができる。
【００２７】
なお、第２の実施の形態に係るＬＣＤ窓４ｄにおいては、ＬＣＤパネル４ｂの外縁部と対向配置される部位全体に光反射部４２及び傾斜面４４を備えているが、ＬＣＤパネル４ｂの外縁部と対向配置される部位の少なくとも一部に光反射部及び傾斜面を備えていれば良い。即ち、カメラ本体にある表示や操作部材を照明すればよいため、これら表示や操作部材が配置される位置近傍の部位にのみ光反射部及び傾斜面を備えていればよい。
【００２８】
また、第２の実施の形態においては、保護部材としてのＬＣＤ窓４ｄに傾斜面４４が形成されているが、第１の実施の形態に係る保護部材２４に傾斜面４４と同様の傾斜面を形成してもよい。
【００２９】
また、上述の各実施の形態では、撮像装置としてカメラを例に挙げて説明したが、表示装置を有する他の撮像装置にも本発明を適用することができる。また、上述の各実施の形態では、撮像装置に装着可能または撮像装置に設けられた保護部材を例に挙げて説明したが、種々の表示内容を表示可能な他の表示装置または該表示装置を有する他の装置（例えば、被写体を照明するための照明装置等）にも本発明を適用することができる。
【符号の説明】
【００３０】
２…カメラ、４…表示部、６〜２０…操作部材、２２…ファインダ、２４…保護部材、２４ｂ…光反射部。
【図１】
2011015015.tif 000003
【図２】
2011015015.tif 000004
【図３】
2011015015.tif 000005
【図４】
2011015015.tif 000006